(57)【要約】【課題】表示パネルに対して保護板を外周部分に非接触部分が形成されるように取り付けて、自然対流による排熱を可能にする。【解決手段】情報を表示する表示パネルと、該表示パネルを視認可能に形成された開口部を有する筐体と、前記表示パネルの前面を覆う透明の保護板とを有する保護板付き表示装置において、前記保護板の周縁の１箇所以上を除く適位置部分を挟持する弾性部材を用いて前記保護板を取り付けたことにより、前記表示パネルと前記保護板の周縁部との間に１箇所以上の空隙を形成し、その空隙を介しての自然対流により、表示パネルの発熱を外部へ排出する。なお、前記弾性部材は前記保護板の端部を収容する凹溝を有し、前記表示パネルと前記筐体との間に挟持されるようにする。【選択図】  図２
2005017415.tif 000002
【特許請求の範囲】
【請求項１】
保護板の外周適箇所を弾性部材を介して表示パネルの前面に取り付け、前記表示パネルと前記保護板の周縁部との間に空隙を形成したことを特徴とする保護板付き表示装置。
【請求項２】
情報を表示する表示パネルと、該表示パネルを視認可能に形成された開口部を有する筐体と、前記表示パネルの前面を覆う透明の保護板とを有する保護板付き表示装置において、
前記保護板の周縁の１箇所以上を除く適位置部分を挟持する弾性部材を用いて前記保護板を取り付けたことにより、前記表示パネルと前記保護板の周縁部との間に１箇所以上の空隙を形成したことを特徴とする保護板付き表示装置。
【請求項３】
前記弾性部材は前記保護板の端部を収容する凹溝を有し、前記表示パネルと前記筐体との間に挟持されたことを特徴とする請求項１または請求項２に記載の保護板付き表示装置。
【請求項４】
前記表示パネルには取付け用の耳部を有し、前記筐体には該耳部が固定されるボスを有し、前記弾性部材には該ボスを挿入する孔を有することを特徴とする請求項２または請求項３に記載の保護板付き表示装置。
【請求項５】
前記弾性部材の前記筐体側の厚みは、前記保護板と前記筐体との間に空隙を形成する厚みであることを特徴とする請求項２乃至請求項４のいずれかに記載の保護板付き表示装置。
【請求項６】
前記弾性部材は、前記保護板の端部を収容する第１の凹溝と、表示装置本体の端部を収容する第２の凹溝とを有することを特徴とする請求項１乃至請求項５に記載の保護板付き表示装置。
【請求項７】
前記弾性部材は表示装置本体の背面で該表示装置本体と機械的に固定されることを特徴とする請求項１乃至請求項６に記載の保護板付き表示装置。
【請求項８】
前記弾性部材は前記表示パネルの左右方向又は上下方向又は対角方向の２箇所で前記表示パネルと前記保護板との間に空隙を形成するように設けたことを特徴とする請求項１乃至請求項７のいずれかに記載の保護板付き表示装置。
【発明の詳細な説明】
【０００１】
【発明の属する技術分野】
本発明は、液晶テレビ、液晶モニタ、ＰＤＰなどのように発熱する表示パネルを有する表示装置に関する。
【０００２】
【従来の技術】
従来、表示装置の画面上への異物付着は場合によっては画像品位への影響もあるため、その対策として表示装置の画面前方に保護板を設けることがしばしば行われていた。保護板を設ける従来の技術として例えば特許文献１などが開示されている。
特許文献１を図６、図７と共に説明する。図６は収納式液晶表示装置の断面図であり、図７は図６のＡ部分の拡大断面図である。特許文献１においては、図６および図７に示すように、前面に表示器を収納する開口部を有する筐体２１と、表示板３２を有し、この表示板３２が前方を向く姿勢で上記開口部から筐体内に挿通固着される表示器３０と、表示板３２を覆う透明の保護板３３と、この保護板４を介して表示板３２を視認するための窓部２４ａ  を有し、筐体の開口部を覆うフロントパネル２４を備えた装置において、表示板３２とこの表示板３２を覆う保護板３３との間の空間ＳＰが密閉されるように保護板を表示器に取付ける取付機構３４、３５を備え、表示器が筐体内に組込まれる前に取付機構３４、３５を介して保護板３３が表示器３０に取り付けられている。以上により、表示板３２と保護板３３との間の空間ＳＰは密閉されているので、表示器３０を筐体２１に組み込む作業をクリーンルームなどで行わなくても表示板３２に塵埃が付着することがなく、また表示板３２に指などが触れることもないため、表示板３２表面を保護できるという提案である。
【０００３】
【特許文献１】
特開平８−６２５８７号公報
【０００４】
【発明が解決しようとする課題】
しかしながら、従来は上記のように、表示板３２とこの表示板３２を覆う保護板３３との間の空間ＳＰが密閉されるように保護板を表示器に取付ける取付機構３４、３５を備え、表示器３０が筐体内に組込まれる前に取付機構を介して保護板３３が表示器３０に取り付けられているので、表示板３２が発する熱を逃がすことができなかった。このように、完全密閉によって放熱ができないと、表示器３０自体の温度が上昇し、保護板３３の材質によっては変形を生じることもあり、また表示器３０自体の動作の信頼性が低下する場合も考えられた。
そこで本発明は、表示板に保護板を取り付ける際に、完全に密閉することなく、放熱できる取り付け構造を提供することを目的とする。さらに、保護板の取りつけ機構における着脱を容易にすることによって、保護板が破損した場合にも、保護板のみの交換で済む保護板付き表示装置を提供することを目的とする。
【０００５】
【課題を解決するための手段】
上記課題解決のために本発明は、保護板の外周適箇所を弾性部材を介して表示パネルの前面に取り付け、前記表示パネルと前記保護板の周縁部との間に空隙を形成し、さらに詳しくは、情報を表示する表示パネルと、該表示パネルを視認可能に形成された開口部を有する筐体と、前記表示パネルの前面を覆う透明の保護板とを有する保護板付き表示装置において、前記保護板の周縁の１箇所以上を除く適位置部分を挟持する弾性部材を用いて前記保護板を取り付けたことにより、前記表示パネルと前記保護板の周縁部との間に１箇所以上の空隙を形成したことを特徴とする。
また本発明は、前記発明において、前記弾性部材は前記保護板の端部を収容する凹溝を有し、前記表示パネルと前記筐体との間に挟持されたことを特徴とする。
また本発明は、前記発明において、前記表示パネルには取付け用の耳部を有し、前記筐体には該耳部が固定されるボスを有し、前記弾性部材には該ボスを挿入する孔を有することを特徴とする。
また本発明は、前記発明において、前記弾性部材の前記筐体側の厚みは、前記保護板と前記筐体との間に空隙を形成する厚みであることを特徴とする。
また本発明は、前記発明において、前記弾性部材は、前記保護板の端部を収容する第１の凹溝と、表示装置本体の端部を収容する第２の凹溝とを有することを特徴とする。
また本発明は、前記発明において、前記弾性部材は表示装置本体の背面で該表示装置本体と機械的に固定されることを特徴とする。
また本発明は、前記発明において、前記弾性部材は前記表示パネルの左右方向又は上下方向又は対角方向の２箇所で前記表示パネルと前記保護板との間に空隙を形成するように設けたことを特徴とする。
なお、保護板を挟持する弾性部材は、保護板の周囲に取り付けられるが、保護板の周囲全周を弾性部材が覆うのではなく、ある部分は覆わないようにする。これによって、保護板と表示パネルは密閉されることはなく空隙が形成され、この空隙により自然対流が発生して、熱を逃すことができる。また、弾性部材に保護板を取付けるための凹溝を形成することによって保護板と弾性部材を嵌めあうことができる。これにより、保護板の着脱を容易にできるようにする。
【０００６】
【発明の実施の形態】
本発明を液晶表示装置に適用した場合の実施形態について、図１乃至図５に基づいて説明する。
図１乃至図３は本発明の第１の実施形態を示し、図１は本発明の液晶表示装置を表し、（ａ）は液晶表示装置の上面視の断面図、（ｂ）は液晶表示装置の正面図である。図１において、１は液晶表示装置の前面筐体、２は表示装置の背面筐体、３は液晶パネル、４は保護板、５は弾性部材であるところの弾性を有する保護板取付け枠、６は筐体１に設けられたボス、７は取付け用のビスである。
【０００７】
図２は図１における保護板４と保護板取付け枠５のみを示す正面図である。図３は保護板取付け枠５を表し、（ａ）は側面図、（ｂ）は正面図である。図示されるように、保護板取付け枠５を取り付けた保護板４を前面筐体１と液晶パネル３で挟み込み、液晶パネル３と保護板取付け枠５を前面の筐体１に設けられたボス６にビス７で共締めする。保護板取付け枠５は図３に示すように、コの字型に形成され、シリコンゴムなどのように弾力性のある部材を使用する。この保護板取付け枠５の厚さ方向の中間に保護板４を嵌め込むための凹溝８を設ける。保護板取付け枠５は図２に示すように保護板４の左右に取り付けられる。保護板取付け枠５は接着剤などによる接着固定ではなく、嵌め込み式にすることで保護板４の取り外しを容易にしている。
【０００８】
また、図２からわかるように、保護板４の周囲全周を覆わないようにする。図示例では、保護板４の上辺と下辺のそれぞれの中間部を覆わないようにする。これによって、前面筐体１と保護板４と液晶パネル３を組み込んだときに、液晶パネル３と保護板４の間は密閉されないで上下にそれぞれ空隙が形成され、その間に発生する自然対流により液晶パネル３の発生熱を逃がすことができる。なお、図２においては、保護板４の下辺の空隙から上辺の空隙への自然対流を発生させるため保護板取付け枠５を保護板４の中央部分を残して左右に配置しているが、状況に応じ上下または対角線上に配置してもよい。さらに、図３に示すように、保護板取付け枠５を液晶パネル３と前面筐体１のボス６にビス７で共締めできるように、保護板取付け枠５にボス７が嵌合される穴９を設けている。
【０００９】
次に、液晶パネル３の前面筐体１への取付け方法を説明する。保護板４の左右にそれぞれ保護板取付け枠５を嵌め込み、その状態で保護板取付け枠５の穴９を前面筐体１のボス６に合わせ嵌め込む。次に液晶パネル３の両端の耳部に形成されているビス止め孔をボス６の位置に合わせ、ビス７で締め付ける。この時、前面筐体１と保護板４と液晶パネル３は、保護板取付け枠５を介してそれぞれ互いに接触しない状態で固定される。このように固定することで、液晶パネル３表面を保護板４が異物付着から保護すると共に、液晶パネル３の上下部分に放熱路が形成され、更に前面筐体１に振動を発生させるスピーカーなどが設置されている場合には、その振動が保護板４と液晶パネル３に伝わることを防ぐ。
【００１０】
次に、本発明の第２の実施形態を図４、図５に基づいて説明する。図４は液晶表示装置の正面図であり、図５は液晶表示装置の上面視の断面図である。図において、１１は液晶表示装置の前面筐体、１２は表示装置の背面筐体、１３は液晶パネル、１４は保護板、１５は弾性部材であるところの弾性を有する保護板取付け枠、１６は筐体１１に設けられたボス、１７は締め付け用のビス、１８は背面筐体１２に設けられたボスである。図５に示すように、保護板取付け枠１５は液晶表示装置と嵌合する第１の凹溝と、保護板１４と嵌合する第２の凹溝を有している。尚、保護板１４の位置決めとして、第２の凹溝の下端に突起を設けたり、第２の凹溝の下端を閉塞させる加工などがなされている。
【００１１】
次に、保護板取付け枠１５の取付け方法を説明する。前面筐体１１に液晶パネル１３や図示しない内部シャーシなどが取り付けられた後、前面筐体１１のボス１６と背面筐体１２のボス１８を対向して当接させる。前面筐体１１と背面筐体１２とを合せた状態で保護板取付け枠１５の第１の凹溝を嵌合させ、ビス１７を用いて背面筐体１２のボス１８を介し前面筐体１１のボス１６との間を固定する。保護板取付け枠１５を固定した後に、第２の凹溝に表示装置の天面方向から保護板１４を差し込む。このように、液晶パネル１３と保護板１４を前面筐体１１と保護板取付け枠１５を介して固定することで、液晶パネル１３表面を指紋などの異物付着から保護すると共に、液晶パネル１３の上下部分で液晶パネル１３の放熱路を確保することができる。さらに、保護板１４への異物付着が激しい場合や、破損されたなどの場合は保護板１４を取り外して洗浄や交換を簡単に行うことができる。なお、上述の実施形態は、液晶パネルを用いた表示装置について述べたが、ＰＤＰを用いた表示装置についても適用可能である。
【００１２】
【発明の効果】
以上のように本発明においては、保護板と表示パネルの間に空隙を設けることでその空隙を介して自然対流が発生し表示パネルの放熱効率を高めることが可能になる。また、保護板と表示パネルと前面筐体とを弾性部材を介し、且つそれぞれを非接触非で保つことで、前面筐体に振動を発生させるスピーカーなどが設置されている場合にその振動が保護板と表示パネルに伝わることを防ぐことも可能になる。また、弾性部材に保護板を取付ける凹溝を形成することで、保護板の異物付着が激しい場合や、破損などの場合には凹溝から保護板を取り外して洗浄や交換を簡単に行うことが可能になる。
【図面の簡単な説明】
【図１】本発明の第１の実施形態の液晶表示装置の正面図と断面図。
【図２】本発明の第１の実施形態の保護板と保護板取付け枠の正面図。
【図３】本発明の第１の実施形態の保護板取付け枠の正面図と断面図。
【図４】本発明の第２の実施形態の液晶表示装置の正面図。
【図５】本発明の第２の実施形態の液晶表示装置の断面図。
【図６】従来技術における液晶表示装置の断面図。
【図７】従来技術における液晶表示装置の拡大断面図。
【符号の説明】
１            前面筐体
２            背面筐体
３            液晶パネル
４            保護板
５            保護板取付け枠
６            ボス
７            ビス
８            凹溝
９            取付け穴
１１        前面筐体
１２        背面筐体
１３        液晶パネル
１４        保護板
１５        保護板取付け枠
１６        ボス
１７        ビス
１８        ボス
【図１】
2005017415.tif 000003
【図２】
2005017415.tif 000004
【図３】
2005017415.tif 000005
【図４】
2005017415.tif 000006
【図５】
2005017415.tif 000007
【図６】
2005017415.tif 000008
【図７】
2005017415.tif 000009